【事件の表示】
　平成　６年特許願第５２３９５３号「自己立体鏡ビデオ装置とシステム」拒絶査定不服審判事件〔平成　６年１１月１０日国際公開、ＷＯ９４／２６０７２、平成　８年１０月１５日国内公表、特表平　８−５０９８５１〕について、次のとおり審決する。
【結　論】
　本件審判の請求は、成り立たない。
【理　由】
【第１】経緯  
　
［１］手続き
　本願は、平成６年４月２６日（優先権主張：平成５年５月５日、仏国）を国際出願日とする出願であり、手続きの概要は以下のとおりである。
　
　拒絶理由の通知　　　　：平成１６年　３月１２日（起案日）
　意見書および補正書提出：平成１６年　９月１６日
　拒絶査定　　　　　　　：平成１６年１０月２６日（起案日）
　拒絶査定不服審判請求　：平成１７年　１月３１日
　補正書提出　　　　　　：平成１７年　３月　２日
　前置報告　　　　　　　：平成１７年　５月　２日（起案日）
　
［２］査定
　
　原査定の理由は、概略、以下のとおりである。
　
　本願の各請求項に係る発明は、下記刊行物に記載された発明に基づいて当業者が容易に発明をすることができたものであるから、特許法第２９条第２項の規定により、特許を受けることができない。 
 　　　　　記 
　刊行物１：特開平２−２４６４９５号公報
　刊行物２：特開昭６３−２０８３８９号公報
 　 
【第２】補正の却下の決定
　
　平成１７年３月２日付けの手続補正（以下、本件補正という。）について次の通り決定する。  
 　 
［補正却下の決定の結論］  
　
　平成１７年３月２日付けの手続補正を却下する。 
 　 
［理由］
　 
［１］本件補正の内容  
　
　本件補正は、本件補正前、平成１６年９月１６日付け手続補正書記載の特許請求の範囲の
「１．Ｎ個の視点を有し、各視点に属する画像を含む自己立体画像を円柱状の光学レンズアレイと一体のビデオスクリーンに表示する装置であって、
前記装置は、ビデオスクリーン上で水平方向に隣り合う３個の色点からなる画素の周期的連続によって自己立体画像を構成し、
前記視点の数Ｎが、３×ｎ（ここで、ｎはゼロでない整数）と異なり、
前記光学レンズアレイの各レンズが、各画素を構成する色点のピッチと視点の数Ｎとの積に等しいピッチを水平方向に有し、ビデオスクリーン上で水平方向に隣り合うＮ個の色点であって各レンズに対して第１〜第Ｎ位置にある色点を覆うようにすることによって第１、第２および第３レンズの３つの隣り合う光学レンズの組が、Ｎ個の画素を覆い、
第１、第２、第３光学レンズに対してそれぞれ第１位置にある色点が、第１の視点に属する画像の画素を構成し、第２位置にある各色点が第２の視点に属する画像の画素を構成し、以下、第３〜第Ｎ位置までの各位置にある各色点が第３〜第Ｎの各視点に属する画像の画素を構成するように色点のデータを並べ替えることを特徴とする装置。
２．視点の数Ｎが４であり、光学レンズアレイの各レンズのピッチが４つの色点に対応することを特徴とする請求項１記載の装置。
３．前記自己立体画像を構成する画素の３つの色点のデータを、互いにレンズピッチだけ離れた３つの色点のデータに変換するために、自己立体画像の各色点のデジタル化されたデータを記憶する画像色点メモリをさらに備える請求項１または２記載の装置。
４．前記信号置換のために、前記画像色点メモリへ色点のデータを記録する際に色点のデータのアドレスを置換する色点置換装置をさらに備えることを特徴とする請求項３記載の装置。
５．前記信号置換のために、前記画像色点メモリからからデジタル化された色点のデータを読み出す際に色点のデータのアドレスを置換する色置換装置をさらに備えることを特徴とする請求項３記載の装置。
６．前記色点のデータのアドレス置換を実現するために、少なくとも一つのコード変換メモリを備えることを特徴とする請求項２〜４のいずれか一つに記載の装置。
７．水平方向の各走査ラインの先頭でゼロにリセットされ各ラインの画素クロックをカウントする画素カウンタをさらに備え、
前記コード変換メモリは、画素カウンタによって入力アドレスが決定され、その出力が、アドレス画像色点メモリを参照する際に、それぞれ赤、緑ならびに青の色点の置換に対応する置換アドレスを生成することを特徴とする請求項６記載の装置。
８．画像色点メモリへの書き込みアドレスを決定するラインカウンタをさらに備えることを特徴とする請求項７記載の装置。」
　
　の記載を、
　
「　【請求項１】　Ｎ個の視点を有し、各視点に属する画像を含む自己立体画像を円柱状の光学レンズアレイと一体のビデオスクリーンに表示する装置であって、
前記装置は、ビデオスクリーン上で水平方向に隣り合う３個の色点からなる画素の周期的連続によって自己立体画像を構成し、
前記視点の数Ｎが、３×ｎ（ここで、ｎはゼロでない整数）と異なり、
前記光学レンズアレイの各レンズが、各画素を構成する色点のピッチと視点の数Ｎとの積に等しいピッチを水平方向に有し、ビデオスクリーン上で水平方向に隣り合うＮ個の色点であって各レンズに対して第１〜第Ｎ位置にある色点を覆うようにすることによって第１、第２および第３レンズの３つの隣り合う光学レンズの組が、Ｎ個の画素を覆い、
第１、第２、第３光学レンズに対してそれぞれ第１位置にある色点が、第１の視点に属する画像の画素を構成し、第２位置にある各色点が第２の視点に属する画像の画素を構成し、以下、第３〜第Ｎ位置までの各位置にある各色点が第３〜第Ｎの各視点に属する画像の画素を構成するように色点のデータを並べ替えることを特徴とする装置。
　　【請求項２】　視点の数Ｎが２であり、光学レンズアレイの各レンズのピッチが２つの色点に対応することを特徴とする請求項１記載の装置。
　　【請求項３】　視点の数Ｎが４であり、光学レンズアレイの各レンズのピッチが４つの色点に対応することを特徴とする請求項１記載の装置。
　　【請求項４】　前記自己立体画像を構成する画素の３つの色点のデータを、互いにレンズピッチだけ離れた３つの色点のデータに変換するために、自己立体画像の各色点のデジタル化されたデータを記憶する画像色点メモリをさらに備える請求項１〜３のいずれか一つに記載の装置。
　　【請求項５】　前記信号置換のために、前記画像色点メモリへ色点のデータを記録する際に色点のデータのアドレスを置換する色点置換装置をさらに備えることを特徴とする請求項４記載の装置。
　　【請求項６】　前記信号置換のために、前記画像色点メモリからからデジタル化された色点のデータを読み出す際に色点のデータのアドレスを置換する色置換装置をさらに備えることを特徴とする請求項４記載の装置。
　　【請求項７】　前記色点のデータのアドレス置換を実現するために、少なくとも一つのコード変換メモリを備えることを特徴とする請求項２〜５のいずれか一つに記載の装置。
　　【請求項８】　水平方向の各走査ラインの先頭でゼロにリセットされ各ラインの画素クロックをカウントする画素カウンタをさらに備え、
前記コード変換メモリは、画素カウンタによって入力アドレスが決定され、その出力が、アドレス画像色点メモリを参照する際に、それぞれ赤、緑ならびに青の色点の置換に対応する置換アドレスを生成することを特徴とする請求項７記載の装置。
　　【請求項９】　画像色点メモリへの書き込みアドレスを決定するラインカウンタをさらに備えることを特徴とする請求項８記載の装置。」
　
と補正するものである。
　
［２］本件補正の適法性
　
　本件補正は、平成６年改正前特許法第１７条の２第３項に規定する、請求項の削除（第１号）、誤記の訂正（第３号）、明りょうでない記載の釈明（第４号）のいずれを目的とするものでもない。
　
　次に、本件補正が、平成６年改正前特許法第１７条の２第３項第２号の規定（「特許請求の範囲の減縮」）に適合するか否かを検討する。
　
 　本件補正前各請求項（以下、旧請求項という。）と本件補正後各請求項（以下、新請求項という。）を比較する。
　
　ａ．新請求項１
　　補正の前後において、請求項１の記載に変更はない。
　ｂ．新請求項２
　　新請求項２は、新請求項１を引用するもの（新請求項１に従属させた項）であって、新請求項１（旧請求項１に同じ）における「視点の数Ｎ」および「光学レンズアレイの各レンズのピッチ」についてそれぞれ限定するものであるから、旧請求項１の減縮態様ではある。しかし、その記載内容に明白に対応する旧請求項は存在しない。すなわち、新たに追加する請求項である。
　ｃ．新請求項３
　　新請求項３の記載は、旧請求項２の記載と同一であり、新請求項２の追加に伴って単に項番号が繰り下がったものである。
　ｄ．新請求項４，新請求項５，新請求項６
　　新請求項４は、「請求項１または２記載の」としていた旧請求項３を、「請求項１〜３のいずれか一つに記載の」とするもので、直接引用する項として新請求項２を追加したものとなっているが、この追加部分は旧請求項３が既に直接引用していた旧請求項１（新請求項１に同じ）の従属項にすぎないものであるから、新請求項４の実質は旧請求項３と変わらない。
　新請求項５，新請求項６は、それぞれ旧請求項４，旧請求項５に対応するもので、単に自身の項番号および引用項番号が１つ繰り下がったものであり、旧請求項４，旧請求項５とそれぞれ同一である。
　
　ｅ．新請求項７，新請求項８，新請求項９
　　新請求項７は、「請求項２〜４のいずれか一つに記載の」としていた旧請求項６を、「請求項２〜５のいずれか一つに記載の」とするもので、直接引用する項として新請求項２を追加したものとなっているが、この新請求項２を直接引用する部分は、（旧請求項１の減縮態様ではあるものの）旧請求項６が引用しておらず、旧請求項６を減縮するものとはいえず、かつ、これに明白に対応する旧請求項は存在しない。
　新請求項８及び新請求項９は、このような新請求項７を引用する部分を含むことになるから、同様に、旧請求項７、旧請求項８を減縮するものとはならない。
　
　ｆ．まとめ
　　以上ａ〜ｅからすれば、本件補正の実質は、
　請求項１に従属する項を新請求項２として新たに追加し、
　これに伴い旧請求項２〜５を１つづつ繰り下げて新請求項３〜６とし、
　旧請求項６〜８を削除してそのかわりに、旧請求項６〜８に新請求項２を引用する部分を追加した新請求項７〜９（旧請求項１の減縮態様ではある）を新たに追加するものであって、同補正により、差し引き、請求項が１つ増加するものである。
　
  そうすると、本件補正は、一つの請求項（旧請求項１）に記載された発明を複数の請求項に分割減縮して，新たな請求項（新請求項２，７，８，９）を追加する態様による補正を含んでおり、かつ、補正前の請求項と補正後の請求項との対応関係が明白でなく、補正前の請求項と補正後の請求項とが，一対一又はこれに準ずるような対応関係（例えば多数項引用形式で記載された補正前のｎ項引用形式請求項をｎ−１項以下の独立形式請求項に変更する補正の場合等）に立つものともいえないものであるから、たとえそれが全体として一つの請求項に記載された発明特定事項を限定する趣旨でされたものであるとしても，特許法第１７条の２第３項第２号の規定に適合するものということはできない。（参考：東京高裁平成１６年４月１４日判決，平成１５年（行ケ）第２３０号、東京高裁平成１７年４月２５日判決，平成１７年（行ケ）第１０１９２号）。
　
　以上のことから、本件補正は、請求項の削除（第１７条の２第３項第１号）、特許請求の範囲の減縮（同項第２号）、誤記の訂正（同項第３号），明りょうでない記載の釈明（同項第４号）のいずれを目的とするものにも該当せず、平成６年改正前特許法第１７条の２第３項に適合しない。
　したがって、本件補正は、特許法１５９条第１項において読み替えて準用する同法第５３条第１項の規定により却下すべきものである。
　
【第３】本願発明 
　平成１７年３月２日付けの手続補正は上記のとおり却下する。 
　本願の請求項１から請求項８までに係る発明は、本願明細書及び図面（平成１６年９月１６日付けの手続補正書により補正された明細書及び図面）の記載からみて、それぞれ、その特許請求の範囲の請求項１から請求項８までに記載した事項により特定されるとおりのものであるところ、そのうち、請求項１に係る発明（以下、本願発明ともいう）は、下記のとおりである。 
　 
　　　　　記（本願発明） 
Ｎ個の視点を有し、各視点に属する画像を含む自己立体画像を円柱状の光学レンズアレイと一体のビデオスクリーンに表示する装置であって、
前記装置は、ビデオスクリーン上で水平方向に隣り合う３個の色点からなる画素の周期的連続によって自己立体画像を構成し、
前記視点の数Ｎが、３×ｎ（ここで、ｎはゼロでない整数）と異なり、
前記光学レンズアレイの各レンズが、各画素を構成する色点のピッチと視点の数Ｎとの積に等しいピッチを水平方向に有し、ビデオスクリーン上で水平方向に隣り合うＮ個の色点であって各レンズに対して第１〜第Ｎ位置にある色点を覆うようにすることによって第１、第２および第３レンズの３つの隣り合う光学レンズの組が、Ｎ個の画素を覆い、
第１、第２、第３光学レンズに対してそれぞれ第１位置にある色点が、第１の視点に属する画像の画素を構成し、第２位置にある各色点が第２の視点に属する画像の画素を構成し、以下、第３〜第Ｎ位置までの各位置にある各色点が第３〜第Ｎの各視点に属する画像の画素を構成するように色点のデータを並べ替えることを特徴とする装置。
　
【第４】査定の検討 
　
［１］引用刊行物の記載 
　
［１.１］刊行物１：特開平２−２４６４９５号公報　
 　原査定の拒絶の理由に引用された刊行物である特開平２−２４６４９５号公報（以下、「刊行物１」という。）には、図面（第１図〜第４図）と共に以下の事項が記載されている。
　
　〈特許請求の範囲〉
　(K1.1)「１）眼鏡を不要とする多方向立体映像表示装置において、中央部に立体映像用レンチキュラー板を装着し、その左右もしくは上下周辺部に前記レンチキュラー板を装着しない画像表示器にて連続一体として表示する複数の方向画像のうち、一部の画像は中央部と周辺部とを一個の画像として表示し、残りの画像は中央部にのみ表示したことを特徴とする多方向立体映像表示装置。
　２）請求項１に記載の多方向立体映像表示装置において、前記画像表示器の表示色画素配列を、線順次構造としたことを特徴とする多方向立体映像表示装置。
　３）請求項１に記載の多方向立体映像表示装置において、前記画像表示器の表示色画素配列を、色画素横配列の繰り返し画素数またはその画素数の倍数より１多いかまた少ない数が、表示しようとする前記方向画像の数に等しくなるように設定したことを特徴とする多方向立体映像表示装置。」（１頁左下欄４行〜同頁右下欄１行））
　
　〈産業上の利用分野〉
　(K1.2)「本発明は、多方向の立体映像を表示し、特に迫真感のある広画角な画面が観察でき、眼鏡を不要とする多方向立体映像表示装置に関する。」（１頁右下欄４行〜同頁右下欄６行）　
　
　〈従来の技術〉
　(K1.3)「立体映像は、対象を左右横方向に並べた多数のカメラで撮影した多方向の映像が観察できる表示装置が必要で、従来レンチキュラー板を用いた多方向立体映像表示装置が考案されていた。レンチキュラー板は、投写あるいは電子的に合成された多方向画像の空間位置情報を、視線方向情報に変換することにより、眼鏡不要で左右像を受容し、立体映像を観察できるものである。
　一方、立体映像でなくても投写型表示器等を用いて、視野角度（画角）が広い画面を実現することにより、臨場感等の迫真感を生じる効果があることはよく知られている。」（２頁左上欄３行〜同頁左上欄１４行）
　
　〈発明が解決しようとする問題点〉
　(K1.4)「・・・すなわち、広画角画面全体を、十分な観察域で多方向立体映像にすることが困難である。
　一方、視覚の立体特性において、両眼立体視の能力のある視野領域は、視野中心より約±１５度ないし±２０度の視角範囲で、その他の周辺での視覚は単眼視の能力を持つのみとされている。これに反して、立体視が生じている領域の周囲は、立体像でなくとも、誘導効果と絵柄効果とを併合して、立体像として感知し易いという利点もある。
　本発明は、上述の点に鑑み、従来技術の問題点を有効に解決し、その構成が簡易化され、しかも自然な迫真的映像が容易に得られる多方向立体映像表示装置を提供することを目的とする。」（２頁右上欄１０行〜同頁左下欄３行）
　
〈問題点を解決するための手段〉
　(K1.5)「このような目的を達成するために、本発明多方向立体映像表示装置は、中央部に立体映像用レンチキュラー板を装着し、その左右もしくは上下周辺部に前記レンチキュラー板を装着しない画像表示器にて連続一体として表示する複数の方向画像のうち、一部の画像は中央部と周辺部とを一個の画像として表示し、残りの画像は中央部にのみ表示することを特徴とする。」（２頁左下欄５行〜１２行）
　
　(K1.6)「また、本発明多方向立体映像表示装置は、カラー画像を表示する画像表示器の表示色画素配列を、線順次構造としたことを特徴とする。」（２頁左下欄１３行〜１５行）
　
　(K1.7)「さらにまた、本発明多方向立体映像表示装置は、カラー画像を表示する画像表示器の表示色画素配列を、色画素横配列の繰り返し画素数またはその画素数の倍数より１多いかまた少ない数が、表示しようとする前記方向画像の数に等しくなるように設定したことを特徴とする。」（２頁左下欄１６行〜同頁右下欄１行）
　
〈作用〉
　(K1.8)「このような技術手段により、視野中心を多方向立体映像とし、その他の周辺部を平面映像として、立体映像と平面映像との連続性を損うことなく表示し、全体画面として迫真感のある多方向立体映像を表示することができる。」（２頁右下欄３行〜同頁右下欄７行）
　
〈実施例〉
　(K1.9)「次に、本発明の実施例を図面に基づき、詳細に説明する。
　第１図は本発明の一実施例の概略構成図を示し、上から正面図およびその画像表示器の側面図である。この画像表示器には投写用スクリーン２を用いている。スクリーン２は、中央部に配置された立体映像用レンチキュラー板を装着したスクリーン（以下レンチキュラー板スクリーンと呼ぶ）２Ａと、左右周辺部に配置されたレンチキュラー板を装着しない通常のスクリーン２Ｂ、２Ｃとを連続的に一体化してなる。このスクリーン２に投写する画像投写器１は、本実施例では５方向立体映像とし、液晶表示器等を用いた５個の画像投写器１Ａ、１Ｂ、１Ｃ，１Ｄ、１Ｅがら構成される。
４は観察者である。
　画像投写器１Ａによる画像は、点線で示すように、スクリーン２の左周辺部に配置された通常のスクリーン２Ｂと、中央部のレンチキュラー板スクリーン２Ａとを含んで投写される。また、画像投写器１Ｂ、１Ｃ，１Ｄによる画像は、１点鎖線、実線および２点鎖線で示すように、中央部のレンチキュラー板スクリーン２Ａにのみ投写される。さらに、画像投写器１Ｅによる画像は、細線で示すように、スクリーン２の右周辺部に配置された通常のスクリーン２Ｃと、中央部のレンチキュラー板スクリーン２Ａとを含んで投写される。すなわち、左右周辺部を担当する２個の方向画像は、中央部で重り合って投写することになる。従って、左右周辺部のスクリーン２Ｂ、２Ｃには、必ず左または右の１方向の画像しか投写されない。」（２頁右下欄９行〜３頁左上欄１８行）
　
〈他の実施例〉
　(K1.10)「次に、他の実施例として、画像表示器に投写用スクリーンでなく、液晶、プラズマ等直接に画像を表示する直接画像表示器を用い、広い画像表示器の中央部にのみレンチキュラー板を装置し、その部分にのみ多方向映像の合成画像を表示し、左右周辺部ないし上下周辺部はそのままとする。このとき、第１図、第２図に示す実施例と同様に、中央部のいずれかの方向画像を選択して表示することができる。この場合の画像の解像度についても前述例と同様周辺部は中央部より幾らか（約１／２相当まで）低くても良い。」
（３頁左下欄１８行〜同頁右下欄８行）
　
　(K1.11)「また、この直接画像表示器を用いた実施例の場合、カラー画像による表示を行うにあたって、従来のような色画素配列では方向像の空間配列と重なり、映像解像度が必然的に低下する。なお、条件によっては観察位置による色調変化も生じる。
　この問題を解決する一つの方法は、色配列を線順次構造にすることである。」（３頁右下欄９行〜同頁右下欄１５行）
　
　(K1.12)「第３図は、同じ問題を解決するための第２の方法となる色画素配列例を示し、色画素の繰り返し画素数ｃまたはその倍数ｎｃ（ｎは自然数）より１多いかまたは少ない数Ｎ＝ｎｃ±１が、表示しようとする方向像の数に等しくなるようにしだものである。このようにすることで、レンチキュラー板を通した像の色配列が表示画像の色配列と同じ（道順）になり、正常な混色が行われる。」（３頁右下欄１６行〜４頁左上欄３行）
　
　(K1.13)「第３図において、方向像の数は５で、また色画素数ｎ＝２で、Ｎ＝５にした場合である。また、１行目でもとの色画素配列は、ｂ，ｇ，ｂ，ｇである。観察位置により、直接画像表示器３を構成するレンチキュラー板７の各レンズ素を通して見る画素の位置は定まる。いま、左から第１番目の画素を見るとき、ｂ１，ｇ１，ｂ１の配列の像を見ることになり、２番目の像を見るとき、ｇ２，，ｂ２，ｇ２の配列の像を見ることになる。以下同様にいずれも、もとの配列のｂ，ｇ，ｂ，ｇの配列の像を見ることになる。各行についても同様に、もとの配列が確保され、観察位置にかかわらず、正しい色調が得られる。」（４頁左上欄４行〜１６行）
　
〈発明の効果〉
　(K1.14)「・・・全画面を多方向立体映像にすることなく、広画角であることにより生じる臨場感等の効果と、中央部の立体映像との相乗効果により、全体画面として自然な迫真的映像が容易に得られるという効果を奏する。」（４頁右下欄１２行〜同頁右下欄１６行）
　
　(K1.15)「また本発明によれば、カラー画像を表示する画像表示器に液晶等を用いた直接画像表示器を用いた場合、その表示色画素配列を線順次構造にし、あるいは表示色画素配列を、色画素横配列の繰り返し画素数またはその画素数の倍数より１多いかまたは少ない数が、表示しようとする前記方向画像の数に等しくなるように設定することにより、レンチキュラー板を通した像の色配列が表示画像の色配列と同じになり、観察位置に拘らず正しい色調が得られるという効果を奏する。」（４頁右下欄１７行〜５頁左上欄６行）
　
［１.２］刊行物２：特開昭６３−２０８３８９号公報　
　原査定の拒絶の理由に引用された刊行物である特開昭６３−２０８３８９号公報（以下、「刊行物２」という。）には、図面（第１図〜第３図）と共に以下の事項が記載されている。
　
〈特許請求の範囲第３項〉
　(K2.1)「一の方向に所定間隔でＮ箇所（Ｎは自然数）に配置したＮ台のテレビジョン撮像カメラで被写体を同時に撮像し、その撮像されたＮ個の被写体像を同一表示面に順次に隣り合わせて表示し、光学的にＮ個の被写体像に分離して観察する多眼式立体テレビジョン方式において、
　前記Ｎ台のテレビジョン撮像カメラで撮像されたＮ個の画像信号を、各対応するＮ個の画素信号が時間軸上で順次に配列された画素組に構成し、その画素組を順次に連続して合成した時系列信号を入力する入力手段と、
　前記画素組における各画素についての画像をあらかじめ定めた互いに異なる方向に向けて表示する表示面を有し、前記入力手段から入力された合成信号を前記表示面に表示する表示手段とを具え、前記画素組に対応してＮ個の画素信号による画素の画像を光学的に分離して表示することを特徴とする多眼式立体テレビジョン受像装置。」（特許請求の範囲第３項）
　
　(K2.2) 「そこで、本発明の第１の目的は、複数のカメラ映像信号の電子的分解と合成とにより、簡単に収録、再生および伝送を行うことかでき、かつ複数のカメラによる映像の映出、表示も簡単、かつ容易に行うことができる多眼式立体テレビジョン方法を提供することにある。
　本発明の第２の目的は、複数のカメラ映像信号の電子的分解と合成とにより、簡単に収録、再生および伝送を行うことができる多眼式立体テレビジョンの撮像装置を提供することにある。
　本発明の第３の目的は、複数のカメラ映像信号の電子的分解と合成とにより形成された信号を簡単、かつ容易に一つの表示面に映像で表示することかできる多眼式立体テレビジョンの受像装置を提供することにある。
［問題点を解決するための手段］
　このような目的を達成するために、本発明の多眼式立体テレビジョン方法は、一の方向に所定間隔でＮ箇所（Ｎは自然数）に配置したＮ台のテレビジョン撮像カメラで被写体を同時に撮像し、その撮像されたＮ個の被写体像を同一表示面に順次に隣り合わせて表示し、光学的にＮ個の被写体像に分離して観察する多眼式立体テレビジョン方法において、Ｎ台のテレビジョン撮像カメラで撮像されたＮ個の画像信号をそれぞれいったん所定の期間にわたって記憶し、それにより記憶されたＮ個の画像信号を、各対応するＮ個の画素信号が時間軸上で順次に配列された画素組に構成されるように読み出し、それにより構成される画素組を順次に連続した時系列信号に合成し、それにより合成された合成信号を送出し、その送出された合成信号を受信し、その受信した合成信号のうち、画素組における各画素についての画像をあらかじめ定めた互いに異なる方向に向けて表示する表示面に表示し、それにより画素組に対応してＮ個の画素信号による画素の画像を光学的に分離して表示することを特徴とする。」（２頁右下欄９行〜３頁右上欄５行）
　
　(K2.3)「次に、本実施例についてその動作を説明する。
　適当な間隔（表現したい奥行レベル差によって異なる）で横方向に並べられたＮ台の撮像カメラ１．２．３・・・Ｎ（Ｎは自然数）の出力は、スイッチＳＷ１１，ＳＷ１２，ＳＷ１３・・・ＳＷ１Nによりライン（１走査線）毎に切り換えられて、各ラインメモリＭ１ｉ，Ｍ２ｉ（ｉはカメラの番号を示す）に交互に書き込まれて記憶される。スイッチＳＷ２１，ＳＷ２２，ＳＷ２３・・・ＳＷ２Ｎは、ラインメモリＭ１ｉまたはＭ２ｉに書き込むように切り換えられるスイッチＳＷｉ１，ＳＷｉ２，ＳＷｉ３・・・ＳＷｉＮと逆相に動作し、書き終わったラインメモリから順次に画像を読み出すように動作する。書き込みはＮ台の撮像カメラ１，２．３・・・Ｎの出力すべてについて連続的かつ同時に行われるが、読み出しは、画素毎にアクセスするラインメモリを選んで切り換え、画素信号の時間軸の分解と合成を行い、および必要に応じては時間軸圧縮を行う。
　この出力は、直接、受像側に送られ表示して再現することができる。しかもまた、この出力はひとつのビデオ信号となっているため収録および伝送も容易に行える。
　第２図（Ａ）および（Ｂ）は、本発明の第１の実施例における画素の分解・合成の様子を示す配列図である。
　第２図において、Ｐｉｊ(Ｐｉ１,  Ｐｉ２・・,  Ｐ２１,  Ｐ２２, ・・・Ｐ３１，Ｐ３２，・・・ＰＮ１，ＰＮ２・・・）は、i番目の撮像カメラのｊ番目の画素信号である。
　ラインメモリＭi１，Ｍi２，Ｍi３・・・ＭiＮに各撮像カメラ１，２．３・・・Ｎからの映像信号出力ＶiＮ１，ＶiＮ２，ＶiＮ３・・・ＶiＮＮの一走査線分が連続的かつ同時にストアされる。このメモリからは、各カメラからの第１番目の画素信号がＰ１，Ｐ２，Ｐ３・・・ＰＮの順に読出され、画素組１のように並び換えられる。以下同様な手順で、第２図（Ａ）に示すように、画素組２，画素組３の順に読み出される。
　ここに用いるラインメモリは、１ライン分の小容量のメモリなので、ＣＣＤ等を用いたアナログメモリまたはＲＡＭを用いたディジタルメモリのいずれでも利用できる。ディジタルメモリを用いたときは、メモリの人力部にＡ／Ｄ変換器が必要である。なお、アナログ出力が必要であるときには、合成回路７からのディジタル出力をＢ／Ａ変換すればよい。
　第２図（Ｂ）には５台の撮像カメラを使用した場合を例にとって、合成出力の画素信号の配列を示してある。
　第３図は、本発明の第１の実施例における多眼式立体像生成を示す説明図である。
　本実施例では、水平方向の視差のみを考えているので、第３図に示すように、「かまぼこ」状のレンチキュラ板１５を各画素組に対応して配置する。このような配置により、観察者が視点を変えると、画素組の中の別の画素が眼に入るようになり、多眼式の立体像を観察することができる。
　この方法を実現するにあたって最も難しい点は、ディスプレイ上の各画素組とレンチキュラ板１５の「かまぼこ」状のシリンドリカルレンズ部分とを正確に対応させることである。この方法としては、ディスプレイの種類により各種考えられ、これらについて以下に説明する。」（４頁左上欄７行目〜４頁右下欄７行）
　
［２］対比（本願発明と刊行物記載発明との対応関係） 
　
　刊行物１に記載された発明（以下、引用発明という。）として、前掲(K1.10)〜(K1.13)に「他の実施例」として記載された第３図のものを認定する。
　引用発明は、前掲(K1.2)を産業上の利用分野とし、前掲(K1.3)の従来の技術を基に前掲(K1.4)の目的を達成するために、前掲(K1.1)の特許請求の範囲の第１項・前掲(K1.5) の構成の多方向立体映像表示装置とし、前掲(K1.8)の作用・前掲(K1.14)の効果を奏するものであって、
　さらに、その画像表示器に液晶、プラズマ等直接に画像を表示する直接画像表示器を用いて、前掲(K1.1)の特許請求の範囲の第３項・前掲(K1.7)をその概要構成、前掲(K1.10)〜(K1.13)（第３図のもの）をその詳細構成とするものであり、前掲(K1.15)の効果を奏するものである。
　
　以下、本願発明と引用発明とを対比すると、以下の対応が認められる。 
　
（ａ）引用発明の第３図の概要、「
ビデオスクリーン
　
　前掲(K1.10)〜(K1.13)からみて、
　
　(ａ１)第３図における上側の図（以下、「第３図上図」ともいう）に示される色画素配列図（１行目：ｇ５，ｂ１、・・・ｇ５，ｂ１からなるｂとｇの繰り返し、２行目：ｒ５，ｇ１，ｒ２，・・・ｒ５，ｇ１からなるｇとｒの繰り返し、３行目：１行目と同じ、４行目：２行目と同じの色画素配列図）は、
　「直接画像表示器３」が有する２次元の色画素配列を示す図である。
　刊行物１には、「ビデオスクリーン」は明記されていないが、一般に、液晶、プラズマ等の直接画像表示器による画像の表示は、画素配列を有する表示器の「ビデオスクリーン」によりなされるから、引用発明の「直接画像表示器３」も、第３図上図に示される色画素配列を有する「ビデオスクリーン」を有しているものといえる。
　
　(ａ２)第３図における下側の図（以下、「第３図下図」ともいう）は、
　「直接画像表示器３」の中央部であって「レンチキュラー板７」を装着した部分における水平断面とともに、観察者４がその前方から「レンチキュラー板７」を通して各色画素配列を観察することを模式的に示す平面図であり、　□で囲まれた数字の列からなる「｜３｜４｜５｜・・・｜１｜２｜３｜４｜」は、同図上図に示される直接画像表示器３の色画素配列の水平方向の１行を示し、その□で囲まれた各数字１〜５は各色画素であって、同図上図でこれと同じ数字の添字が付された色画素を示すものである。
　同時に、その１〜５は、「レンチキュラー板７」の各レンズ素との位置関係において、各レンズ素に対する最左端位置を１、最右端位置を５とする各色画素の各レンズ素に対する位置を示すものと理解される。
　そして、レンズ素と色画素列との関係は、
　各レンズ素に対する１〜５の位置の５つの色画素が、各レンズ素に対応する組として連続して順に繰り返されるような関係で配置されていること、言い換えれば、各レンズ素は各レンズ素に対する１〜５の位置の５つの色画素の組に対応する態様で設置されていることが見てとれる。
　
　ここで、観察者４は表示器３・レンチキュラー板７に非常に接近した位置から観察するように図示されてはいるが、これは模式図であって、実際の色画素やレンズ素のサイズは、観察距離に比べて無視できる程度に小さく、したがって、画素やレンズ素のサイズが図示通りであるとすると、実際の観察位置は、図示される位置より表示器３からずっと離れた位置であると理解される。
　
（ｂ）「Ｎ個の視点を有し、各視点に属する画像を含む自己立体画像を円柱状の光学レンズアレイと一体のビデオスクリーンに表示する装置であって、」
　
　(ｂ１)「
円柱状の光学レンズアレイ
　引用発明の「レンチキュラー板７」｛前掲(K1.13)、第３図｝は、本願発明でいう「円柱状の光学レンズアレイ」に相当する。
　なお、この「円柱状の光学レンズアレイ」は、本願明細書に照らせば、一般に「レンチキュラー板」と呼ばれるものである。（例えば、周知例２参照。）
　
　(ｂ２)「一体」、「円柱状の光学レンズアレイと
一体
　引用発明の「直接画像表示器７」の中央部には、「レンチキュラー板７」が第３図下図に示されるように装着されており｛前掲(K1.10)｝、また「直接画像表示器３を構成するレンチキュラー板７」｛前掲(K1.10)｝とも記載されており、また、「レンチキュラー板７」と、ビデオスクリーンが有する色画素配列｛□で囲まれた数字の列からなる｜３｜４｜５｜・・・｜１｜２｜３｜４｜」は固定的な位置関係で装着されているといえるのであるから、
　引用発明の「直接画像表示器７」においても、「レンチキュラー板７」と「ビデオスクリーン」とは実質的に一体であると言っても支障はない。
　
　(ｂ３)「自己立体画像」、「
自己立体画像
　前掲(K1.1)〜(K1.3)，(K1.10)〜(K1.13)によれば、引用発明は、「直接画像表示器７」の中央部であって「レンチキュラー板７」が装置された部分では、眼鏡が不要の「多方向立体映像の合成画像」が構成され表示されるものであるから、本願発明でいう「自己立体画像」を「表示する装置」といい得るものであり、
　上記(ｂ２)で検討したことからすれば、その表示が、「円柱状の光学レンズアレイと一体のビデオスクリーン」になされるものともいい得るものである。　
　
　(ｂ４)「
Ｎ個の視点を有し、各視点に属する画像を含む
　前掲(K1.12)(K1.13)によれば、引用発明の方向像の数Ｎは、ｃまたはその倍数ｎｃ（ｎは自然数）より１多いかまたは少ない数Ｎとするもので、次の式によるとしており、図３のものは、
　式：Ｎ＝ｎｃ±１（ただし、Ｎ：方向像の数、ｎ：自然数、ｃ：「
色画素の水平方向繰り返し数
　Ｎ（＝５）＝ｎ（＝２）×ｃ（＝２）＋１、すなわち、
　ｎ＝２，色画素の繰り返し画素数ｃ＝２，方向像の数Ｎ＝５とした場合のものであって、多方向立体映像の合成画像として（５つの観察位置から見る）５つの方向像を構成し表示するものである。
　
　ここで、ｃを「
色画素の水平方向繰り返し数
　・前掲(K1.13)中の「色画素数ｎ＝２」は、誤記であって正しくは「色画素数ｃ＝２」であることは明らかである。
　・「色画素の繰り返し
画素数
画素数
横
　・以上から、「色画素の繰り返し
画素数
　
　１の観察位置から見る１の方向像は、本願発明でいう、１つの「視点に属する画像」といえ、したがって、引用発明が表示する「多方向立体映像の合成画像」（これが、本願発明でいう「自己立体画像」といい得ることは既に(ｂ３)で述べたとおりである。）は、本願発明でいう「Ｎ個の視点を有し、各視点に属する画像を含む自己立体画像」といい得るものである。
　
　(ｂ５)小括
　以上によれば、引用発明も、「Ｎ個の視点を有し、各視点に属する画像を含む自己立体画像を円柱状の光学レンズアレイと一体のビデオスクリーンに表示する装置であって、」といい得る点では、本願発明と相違しない。
　
（ｃ）「前記装置は、ビデオスクリーン上で水平方向に隣り合う３個の色点からなる画素の周期的連続によって自己立体画像を構成し、」
　
　(ｃ１)「色点」、「画素」、「ビデオスクリーン上で
水平方向に隣り合う３個の色点
　
　(ｃ１-１)技術常識
　通常のカラー画像表示器（自己立体画像用の特別の表示器でなく）に用いる色画素配列のタイプとしてよく知られた典型的なものとして、
　(i)「
１つの対角ｂとｒ、他方の対角２つのｇからなる水平２垂直２個の隣り合う４個の色画素からなる正方形単位
　(ii)「
水平方向に隣り合うＲＧＢの３個の色画素
　があり、               
　前者(i)のタイプでは上記「
１つの対角ｂと・・・４個の色画素
水平方向に隣り合うＲＧＢの３個の色画素
　
　このとき、上記(i)の「画素」（上記「
１つの対角ｂと・・・４個の色画素
２個の色点２行
３個の色点１行
　
　(ｃ１-２)引用発明の色画素配列
　上記技術常識に照らせば、
色画素の水平方向繰り返し数
　「
１つの対角ｂとｒ、他方の対角２つのｇからなる水平２垂直２個の隣り合う４個の色画素からなる正方形単位
１つの対角ｂと・・・４個の色画素
　そして、引用発明の、「色画素の水平方向繰り返し数ｃ」（＝２）とは、「
１画素を構成する水平方向に隣り合う色画素の個数ｃ
　引用発明の上記「
１つの対角ｂと・・・４個の色画素
３個の色点
２（ｃ＝２）個の色点２行
　
　(ｃ１-３)本願発明の色画素配列
　これに対して、上記技術常識に照らせば、本願発明の「色点」とは上記技術常識でいう「色画素」のことを意味するもので、本願発明の装置が有する色画素配列は、後者(ii)のタイプと認識され、「
３個の色点からなる画素
ＲＧＢという３つの色点
　このことは、本願発明の「
水平方向に隣り合う３個の色点
ＲＧＢの
　そして、「
水平方向に隣り合う３個の色点
１画素を構成する水平方向に隣り合う色画素（色点）の個数ｃ
　
　(ｃ１-４)小括（ｃ１）
　以上によれば、引用発明の「色画素」（上記各ｂ、ｒ、ｇ）が本願発明でいう「色点」に相当し、
　引用発明の「
１つの対角ｂとｒ、他方の対角２つのｇからなる水平２垂直２個の隣り合う４個の色画素
２（ｃ＝２）個の色点２行
３（ｃ＝３）個の色点１行
　本願発明と引用発明とは、
　「水平方向に隣り合う
ｃ個の
　本願発明は、ｃ＝３であって、１画素は「水平方向に隣り合う
３個の
１行
　引用発明は、ｃ＝２であって、１画素は「水平方向に隣り合う
２個の
２行
１つの対角ｂとｒ、他方の対角２つのｇからなる水平２垂直２個の隣り合う４個の色画素
　
　なお、引用発明の「
１つの対角ｂとｒ、他方の対角２つのｇからなる水平２垂直２個の隣り合う４個の色画素
　すなわち、図１ｂ及び明細書８頁１３行〜２４行に記載された、「１つの対角線上に赤の画素Ｒと青の画素Ｂを有し、もう１つの対角線上に２つの半輝度（half-intensity）の緑の画素Ｇを有する」「正方形」は、引用発明と同様な色画素配列をしているものであり、その正方形を「画素」と称していることからも明らかである。
　
　(ｃ２)「自己立体画像」を構成し
　(ｂ３)で前述したように、引用発明が「自己立体画像」を表示するものといえる以上、「ビデオスクリーン上で画素の周期的連続によって自己立体画像を構成し」といえることは明らかである。
　
　(ｃ３)小括（ｃ）
　以上によれば、本願発明と引用発明とは、
　「前記装置は、ビデオスクリーン上で水平方向に隣り合う
ｃ個
　本願発明では、
ｃ＝３
３個の
１行
　引用発明は、
ｃ＝２
２個の
２行
１つの対角ｂとｒ、他方の対角２つのｇからなる水平２垂直２個の隣り合う４個の色点
　ここで、「ｃ」は、「１画素を構成する水平方向に隣り合う色点の個数」（「色画素の水平方向繰り返し数」に同じ）である。
　
（ｄ）「前記視点の数Ｎが、３×ｎ（ここで、ｎはゼロでない整数）と異なり」
　本願発明の上記「３×ｎ」の「３」は、明細書２頁３行〜１０行の記載「この目的のため本発明は、ビデオスクリーンの前に円柱状のレンズアレイを置いてビデオスクリーン上に自己立体鏡的な画像を表示する装置であって、前記ビデオスクリーンが水平に並べて置かれたｐ個（ここで、ｐが１より大きい整数）の色点からなる画素を有し、かつ立体鏡的な画像に対する視点の数がｐ×ｎと異なり（ここでｎはゼロでない整数）、かつレンズアレイが色点（すなわち蛍光体）ピッチと視点の数との積に等しいピッチをもつことを特徴とする装置を提供する。」に照らせば、
　単なる数としての３ではなく、前記した「
１画素を構成する水平方向に隣り合う色画素（色点）の個数ｃ
　すなわち、上記要件は、「前記視点の数Ｎが、ｃ×ｎ（ここで、ｎはゼロでない整数、ｃは１画素を構成する水平方向の色点の個数でｃ＝３）と異なり」と解釈される。
　これに対して、引用発明では、上記(ｂ４)で見たとおり、視点の数Ｎ（＝５）は、色画素の繰り返し数ｃ（＝２）の倍数（ｃ×ｎ）とは異なるから、ｃが２であるか３であるかを除けば、本願発明との相違はない
　
（ｅ）「第１、第２、第３光学レンズに対してそれぞれ第１位置にある色点が、第１の視点に属する画像の画素を構成し、第２位置にある各色点が第２の視点に属する画像の画素を構成し、以下、第３〜第Ｎ位置までの各位置にある各色点が第３〜第Ｎの各視点に属する画像の画素を構成するように色点のデータを並べ替える」
　
　上記要件は「・・・各視点に属する画像の画素を構成するように色点のデータを並べ
替える
　したがって、上記要件は、
　要件Ｅ１：第１、第２、第３光学レンズに対してそれぞれ第１位置にある色点が、第１の視点に属する画像の画素を構成し、第２位置にある各色点が第２の視点に属する画像の画素を構成し、以下、第３〜第Ｎ位置までの各位置にある各色点が第３〜第Ｎの各視点に属する画像の画素を構成するように
色点のデータが並べられている
　要件Ｅ２：色点データの
並びを変更
の２つに分けることができ、以下、要件Ｅ１，要件Ｅ２に分けて検討する。
　
　(ｅ１)上記要件Ｅ１について
　
　(ｅ１-１)引用発明は、直接画像表示器３のレンチキュラー板７を装着した中央部分においては、多方向映像の合成画像を表示するのに、
　方向像の数Ｎ（＝５）を、表示器の色画素の水平方向繰り返し数ｃ（＝２）の倍数より１多いかまたは少なくすることで、レンチキュラー板を通した像の色配列が表示画像の色配列と同じ（道順）になり、正常な混色が行われるようにしたもので｛(K1.12)｝、観察位置が決まると直接画像表示器３を構成するレンチキュラー板７の各レンズ素を通して見る画素の位置は定まり、左から第１番目の画素を見るとき、ｂ１，ｇ１，ｂ１の配列の像を見ることになり、２番目の像を見るとき、ｇ２，ｂ２，ｇ２の配列の像を見ることになる｛(K1.10)(K1.13)｝。
　例えば、「添え数字１の付された位置」は、各レンズ素に対しての１番目の位置であり、その１番目の位置の色画素が、１番目の方向像を構成する色画素となるのである。
　
　(ｅ１-２)各方向像に属する色画素・画素等についての具体的検討
　このとき、５つの観察位置から見る各方向像に属する色画素・画素が具体的にどのようになるか等について、第３図を参照して、以下に検討する。
　
　《検討条件》
　上記「左から第１番目の画素を見るとき」の観察位置として、観察者の右目位置（第１の観察位置）を想定し、上記「２番目の像を見るとき」の観察位置として、観察者の左目位置（第２の観察位置）を想定し、
　さらに具体的に、
　(i)
第１の観察位置（観察者の右目位置，第１の視点）
　表示器３の真正面前方より少し右側方向｛紙面では表示器３の真下より少し右側方向、(ａ２)で上述したように、実際は紙面において示される観察者４の位置より表示器３からずっと離れた位置｝にいる観察者の
右目位置とし
　この第１の観察位置によって
紙面の左から第１番目のレンズ素
第１番目のレンズ素に対する「１」の位置
　このときに見える色画素は、第１行は第３図上図第１行の左から２番目の「ｂ１」，第２行はその真下の「ｇ１」となる。
　(ii)
第２の観察位置（観察者の左目位置，第２の視点
　この第２の観察位置によって
紙面の左から第１番目のレンズ素
第１番目のレンズ素に対する「２」の位置
　このときに見える色画素は、第１行は第３図上図第１行の左から３番目の「ｇ２」，第２行はその真下の「ｒ２」となる。
　
　《第１の観察位置から見る方向像》
　上記条件の下、第１の観察位置から、紙面の左から第２番目のレンズ素（上記レンズ素の右隣のレンズ素、紙面で中央のレンズ素）を通して見るときに決まる画素の位置は、
　同第２番目のレンズ素に対する「１」の位置（第１番目のレンズ素に対する位置番号と同じ）に決まり、このとき見える色画素は、第１行は第３図上図第１行の左から７（＝２+５）番目の「ｇ１」，第２行はその真下の「ｒ１」となり（いずれも、第１番目のレンズ素に対する「１」の位置から５色画素ピッチだけ離間する色画素）、
　同じ観察位置から、紙面の左から第３番目のレンズ素を通して見るときに決まる画素の位置は、
　同第３番目のレンズ素に対する、同じく「１」の位置に決まり、このとき見える色画素は、第１行は第３図上図第１行の左から１２（＝７+５）番目の最右の「ｂ１」，第２行はその真下の「ｇ１」となる。
　すなわち、第１の観察位置（観察者の右目）から各レンズ素を通して見る方向画像（以下、「第１の方向像」という）に属する各色画素は、すべて各レンズ素に対する「１」の位置にある添え数字「１」が付された色画素に限られ、
　その方向像の
　１行１列目の色画素は、第３図上図で１行左から２番目の色画素「ｂ１」、
　２行１列目の色画素は、第３図上図で２行左から２番目の色画素「ｇ１」、
　　；以上、第１番目のレンズ素に対する「１」の位置にある色画素
　１行２列目の色画素は、第３図上図で１行左から７番目の色画素「ｇ１」、
　２行２列目の色画素は、第３図上図で２行左から７番目の色画素「ｒ１」
　　；以上、第２番目のレンズ素に対する「１」の位置にある色画素
　すなわち、　｜ｂ１ｇ１｜
　　　　　　　｜ｇ１ｒ１｜
　となる。
　これら
４つの色画素は
　第１及び２番目のレンズ素に対してそれぞれ「１」の位置にある、５色画素ピッチだけ離間する２行分の色画素であると同時に、
　
第１方向像の
１つの対角ｂとｒ、他方の対角２つのｇからなる水平２垂直２個の隣り合う４個の色画素からなる正方形単位
この第１方向像に属する１つの「画素」を構成するものとなる
　また、このことは、第１方向像の（全色要素を含む）画素という観点から見れば、その画素を構成する色画素データが、第１及び２番目のレンズ素に対してそれぞれ「１」の位置にある２行分の４つの色画素に、上述のように分配配置されていることと理解される。
　
　《２の観察位置から見る方向像》
　上記条件の下、第２の観察位置から、紙面の左から第２番目のレンズ素（上記レンズ素の右隣のレンズ素）を通して見るときに決まる画素の位置は、
　同第２番目のレンズ素に対する「２」の位置（第１番目のレンズ素に対する位置番号と同じ）に決まり、
　このとき見える色画素は、第１行は第３図上図第１行の左から８（＝３+５）番目の「ｂ２」，第２行はその真下の「ｇ２」となる。
　すなわち、第２の観察位置（観察者の左目）から各レンズ素を通して見る方向画像（以下、「第２の方向像」という）に属する各色画素は、すべて各レンズ素に対する「２」の位置にある添え数字「２」が付された色画素に限られ、
　その方向像の
　１行１列目の色画素は、第３図上図で１行左から３番目の色画素「ｇ２」、
　２行１列目の色画素は、第３図上図で２行左から３番目の色画素「ｒ２」、
　　；以上、第１番目のレンズ素に対する「２」の位置にある色画素
　１行２列目の色画素は、第３図上図で１行左から８番目の色画素「ｂ２」、
　２行２列目の色画素は、第３図上図で２行左から８番目の色画素「ｇ２」
　　；以上、第２番目のレンズ素に対する「２」の位置にある色画素
　すなわち、　｜ｇ２ｂ２｜
　　　　　　　｜ｒ２ｇ２｜
　となる。
　
これら４つの色画素は
　第１及び２番目のレンズ素に対してそれぞれ「２」の位置にある、５色画素ピッチだけ離間する２行分の色画素であると同時に、
　
第２方向像の
１つの対角ｂとｒ、他方の対角２つのｇからなる水平２垂直２個の隣り合う４個の色画素からなる正方形単位
この第２方向像に属する１つの「画素」を構成するものとなる
　また、このことは、第２方向像の（全色要素を含む）画素という観点から見れば、その画素を構成する色画素データが、第１及び２番目のレンズ素に対してそれぞれ「２」の位置にある２行分の４つの色画素に、上述のように分配配置されていることと理解される。
　
　《
第３〜第５の観察位置
　さらに、第３〜第５の観察位置として、第２の観察位置から順に少しづつ左側にずれた位置を想定すれば、同様のことがいえる。
　すなわち、これら観察位置から各レンズ素を通して見る
各方向画像（「第３〜第５の方向像」）に属する各色画素
　各レンズ素を通して見る各方向像（第３〜第５の方向像）を構成する水平２垂直２の４つの色画素は、全色要素を含む最小単位として、
各方向画像に属する１つの「画素」を構成するものとなる
　また、そのようになるように、これら４つの色画素に、第３〜５の各方向像の（全色要素を含む）１つの画素の色画素データが配されることは当然である。
　また、このことは、第３〜第５の各方向像の（全色要素を含む）画素という観点から見れば、その画素を構成する色画素データが、第１及び２番目のレンズ素に対してそれぞれ、方向像の番号数字に対応する「３」〜「５」の１つの位置にある２行分の４つの色画素に、第３図上図のように分配配置されていることと理解される。
　
　《５つの方向像に属する色画素・画素》
　以上によれば、第１〜第５の方向像の各方向像に属する「色画素」は、すべて各レンズ素に対するそれぞれ「１」〜「５」の位置にある添え数字「１」〜「５」のうちの同じ添え数字が付された、各レンズ素に対して（１行でいえば）１つの色画素に限られる。
　そして、直接表示器３の「色画素の水平方向繰り返し数ｃ＝２」とした引用発明では、１つの方向像においての色画素の水平方向繰り返し数ｃも２となり、添え数字「１」〜「５」が付された色画素のうちの同じ添え数字が付された色画素であって、互いに水平方向に５色画素ピッチだけ離間する２つの「２行の色画素（垂直方向に隣接する色画素組）」（計４つの色画素）が、各方向画像に属する「画素」を構成することとなる。
　そして、そのようになるように、直接表示器３の２次元色画素配列に対して、各方向像の色画素データが配されるようになっているのであり、その配置の
色画素データ並び
　すなわち、第３図上図は、添え数字「１」〜「５」が付された色画素のうちの同じ添え数字が付された色画素であって、互いに水平方向に５色画素ピッチだけ離間する、
隣り合う第１、２番目のレンズ素
色画素データが並べられている
　また、第３図上図は、第１〜第５の各方向像の（全色要素を含む）画素という観点から見れば、その画素を構成する色画素データが、
隣り合う第１及び２番目のレンズ素
並べられている
　
　《隣り合うレンズ素の設置・数》
　以上のようにして、各レンズ素に対応する５個の色画素から５つの方向像が提供される。詳しくいえば、各レンズ素から、観察位置の各々に対して、１〜５の色画素のうちの対応位置の水平方向（１行）で唯一個の色画素が提供され、これが隣り合うレンズ素によって１の方向像となり、もって５つの観察位置に対して計５つの方向像が提供される。そして、そのようにするために、各レンズ素は、水平方向に隣接する（方向像の数に等しい）５つの色画素組に対応する態様で設置されている。
　レンズ素の数についてみれば、１つのレンズ素を通して得られる、１つの方向画像に属する画素を構成する色画素は、上述したように水平方向（１行）では唯一つであるから、各方向画像に属する「画素」を構成するのに必要な隣り合うレンズ素の数は、色画素の水平方向繰り返し数ｃ（すなわち「１画素を構成する水平方向に隣り合う色画素の個数ｃ」）と同じ数、すなわち２だけ必要となる。
　これに対して、本願発明では１画素を構成するのに、３つの色画素が必要である。すなわち、色画素の水平方向繰り返し数ｃ＝３であるから必要な隣り合うレンズ数も、色画素の水平方向繰り返し数ｃと同じ３であり、この点は異なる。
　
　(ｅ１-３)対応関係
　以上を踏まえれば、
　引用発明の、「色画素」、「レンズ素」、「１」の位置、「観察位置」、「方向像」は、それぞれ、本願発明でいう「色点」、「光学レンズ」、「第１位置」、「視点」、「視点に属する画像」に相当するといい得、
　引用発明は、「
第１、第２光学レンズ
２行
２行
２行
並べられている
　ものといえる。
　そして、本願発明の第１〜第３光学レンズも、引用発明の上記
第１、第２光学レンズ
ｃ個の隣り合う光学レンズ
　そこで、「色画素の水平方向繰り返し数」（「１画素を構成する水平方向に隣り合う色点の個数」に同じ）「ｃ」を用いれば、次のように本願発明と対応させることができる。
　すなわち、本願発明と引用発明とは、
　「
ｃ個の
並べられている
　本願発明は、ｃ＝３であって、画素は
１行
　引用発明は、ｃ＝２であって、画素は
２行
　
　そして、上記相違のうち、ｃと画素の構成における相違は、前記(ｃ)での相違（本願発明は、ｃ＝３であって、１画素は「水平方向に隣り合う
３個の
１行
２個の
２行
　また、上記相違のうち、光学レンズにおける相違は、前記(ｃ)での相違に起因して生じる相違であるから、これら両相違に関する容易想到性は一括して論じるべきものである。
　
　(ｅ２)上記要件Ｅ２について
　
　(ｅ１)で上述したように、直接表示器３の２次元色画素配列に対して、第３図上図に示されるように、各方向像の色画素データが並べられているものの、引用発明には、そのような並びの色点データを得るための具体については明示の記載がなく、「色点のデータを並べ
替える
　この点相違が認められる。
　
（ｆ）「前記光学レンズアレイの各レンズが、各画素を構成する色点のピッチと視点の数Ｎとの積に等しいピッチを水平方向に有し、ビデオスクリーン上で水平方向に隣り合うＮ個の色点であって各レンズに対して第１〜第Ｎ位置にある色点を覆うようにすること」（前段）
　「によって第１、第２および第３レンズの３つの隣り合う光学レンズの組が、Ｎ個の画素を覆い」（後段）
　
　(ｆ１)前段部分
　引用発明も、各レンズ素（本願発明の「光学レンズ」）に対応する５個の色画素（色点）から方向像数（視点数）５の自己立体画像が提供されるように、水平方向に隣り合うその５つの色画素（色点）の組に対応する態様で各レンズ素を設置していることは、前記(ａ２)や(ｅ１-２)で既にみたとおりであるところ、
　第３図下図の模式図からは、各レンズ素の水平方向ピッチは、色画素「１」〜「５」のピッチ５つ分（色画素のピッチと方向像数５（視点数５））よりも若干短く描かれてはいるものの、これらはほぼ等しいことが見て取れる。
　この点について検討するに、一般に、レンチキュラー板（光学レンズアレイ）を構成する各レンズに対応するＮ個の『画素』から視点数Ｎの方向画像が提供されるように、水平方向に隣り合うそのＮ個の『画素』に対してレンチキュラー板の各レンズを設置するとき、各レンズが、各『画素』を構成するピッチと視点の数Ｎとの積に
等しい
　これには、例えば、下記周知例２〜４が参照される。上記『画素』（『』を付して表記した画素）は、カラー画像における（全色要素を含む最小単位としての意味での）複数の色画素からなる画素ではなく（本願発明でいう「画素」ではなく）、周知例２、３における上記『画素』は、１色画素で１画素を構成する単色画像における画素をいい、周知例４でいう上記『画素』は、線順次カラー画像における垂直方向に並ぶＲＧＢ３つの色画素の１つであるから、上記標準技術は、引用発明でいう「色画素」（本願発明でいう「色点」）に当てはまる技術である。
　かかる標準技術に照らせば、刊行物１に記載された技術思想（引用発明）として、各レンズ素の水平方向ピッチが色画素「１」〜「５」のピッチ５つ分（色画素のピッチと方向像数５（視点数５））と等しいものを認めることができ、（Ｎ＝５の場合の）上記前段部分の本願発明の構成と一致する。
　
　(ｆ２)後段部分
　上記後段部分は、上記（ｅ１-３）で既に論じたと同様ｃを用いていえば、本願発明は、ｃ＝３であって、「第１、第２および第３レンズの
ｃ個の
　上記（ｆ１）での結論（前段部分での一致）を踏まえれば、引用発明は、ｃ＝２であって、「第１、第２レンズの
ｃ個の
　本願発明と引用発明とは、
　「によって
ｃ個の
　本願発明は、ｃ＝３であって、隣り合う光学レンズが、「第１、第２、第３光学レンズの３つ」であるのに対して、
　引用発明は、ｃ＝２であって、隣り合う光学レンズが、「第１、第２光学レンズの２つ」である点で相違する。
　
　（ｆ３）小括
　以上によれば、本願発明と引用発明とは、
　「前記光学レンズアレイの各レンズが、各画素を構成する色点のピッチと視点の数Ｎとの積に等しいピッチを水平方向に有し、ビデオスクリーン上で水平方向に隣り合うＮ個の色点であって各レンズに対して第１〜第Ｎ位置にある色点を覆うようにすることによって
ｃ個の
　本願発明では、ｃ＝３であって、隣り合う光学レンズが、「第１、第２、第３光学レンズの３つ」であるのに対して、
　引用発明では、ｃ＝２であって、隣り合う光学レンズが、「第１、第２光学レンズの２つ」である点で相違する。
　
　（ｇ）周知例
　　　　　　　　　記（周知例１〜４）
　周知例１：小林編、大今他著、「カラー液晶ディスプレイ」第２刷、平成４年１月１０日、産業図書（株）発行、ｐ.４−７，２３７−２３９ ｛特に、ｐ６の「１．４．１情報表示量」の項及びｐ２３９の図９．２｝
　周知例２： テレビジョン学会編、「テレビジョン・画像情報工学ハンドブック」第１版第１刷、１９９０年１１月３０日、（株）オーム社発行、ｐ.２５０ ｛特に図４．９６｝
　周知例３：増田著、「３次元ディスプレイ」第２刷、平成４年４月３０日、産業図書（株）発行、ｐ.７−１０，１３０−１３１｛特にｐ１３１、図５．３０｝ 
　周知例４：特開昭５５−１２９３３７号公報｛２頁左上欄１６行〜２頁右上欄１行，３頁左上欄９行〜１５行、３頁右上欄１３行〜同頁左下欄２０行、第１図，第４，５図等参照｝
　
［３］一致点・相違点 
　以上の対比結果によれば、本願発明と引用発明との一致点および相違点は次のとおりであることが認められる。
　
《一致点》 
　Ｎ個の視点を有し、各視点に属する画像を含む自己立体画像を円柱状の光学レンズアレイと一体のビデオスクリーンに表示する装置であって、
　前記装置は、ビデオスクリーン上で水平方向に隣り合う
ｃ個の
　前記視点の数Ｎが、
ｃ
　前記光学レンズアレイの各レンズが、各画素を構成する色点のピッチと視点の数Ｎとの積に等しいピッチを水平方向に有し、ビデオスクリーン上で水平方向に隣り合うＮ個の色点であって各レンズに対して第１〜第Ｎ位置にある色点を覆うようにすることによって
ｃ個の
　
ｃ個
並べられている
　ここで、「ｃ」は、「１画素を構成する水平方向に隣り合う色点の個数」（「色画素の水平方向繰り返し数」に同じ）である。
　
《相違点》
［相違点１］
　本願発明では、ｃ＝３であって、
　　１画素は「水平方向に隣り合う
３個の
１行
　　隣り合う光学レンズは、「第１、第２および第３光学レンズの
３つ
　引用発明は、ｃ＝２であって、
　　１画素は、「水平方向に隣り合う
２個の
２行
　　隣り合う光学レンズは、「第１および第２光学レンズの
２つ
　
［相違点２］
  上記「色点のデータが
並べられている
　本願発明では、「色点のデータを並べ替える」とするのに対して、
　引用発明では、「色点のデータを並べ替える」ことについて記載がない点。
　
［４］相違点の判断等
　そこで、以下、上記相違点について検討する。
　
［４.１］［相違点１］について 
　これらの相違は、表示する装置の、画素を構成する色画素配列の相違に基づくものであるところ、
　引用発明は、その画素を構成する色画素配列について、
色画素の水平方向繰り返し数
　このｃに、２の代わりにを３を当てはめれば、本願発明の上記相違点１に係る構成に至ることになる。
　まず、引用発明においてｃ（＝２）を３に替えれば、本願発明の上記相違点１に係る構成に至ることを以下(１)で示し、ｃを３に替えることの容易想到性についてはその後(２)で論じる。
　
　（１）ｃを３とすれば、本願発明の上記相違点１に係る構成に至る点
　画素を構成する色画素配列の「
色画素の水平方向繰り返し数
　つまり、１画素は「水平方向に隣り合う２個の色点」２行（「１つの対角ｂとｒ、他方の対角２つのｇからなる水平２垂直２個の隣り合う４個の色点」）からなるもの（引用発明）に代えて、「水平方向に隣り合う３個の色点１行」からなるもの（本願発明）が想定されるのである。
　そして、このとき（ｃを３としたとき）、
　各視点に属する画素を構成するのに要する「
隣り合う光学レンズ
　したがって、「
色画素の水平方向繰り返し数
　
　念のため、以下に具体的にみておく。
　式：Ｎ＝ｎｃ＋１において、ｎ＝２，ｃ＝２を当てはめ、Ｎ＝５の方向像を提供する引用発明の色点配列および色点データ並び（第3図）において、ｃを３に変更すれば、Ｎ＝２＊３＋１＝７で７方向像を提供することとなり、各レンズ素は７個の色画素に対応して配置され、以下のようになる。
　各画素は、｜ｂｇ｜　から　｜ＲＧＢ｜に変わる。
　　　　　　｜ｇｒ｜
　色点配列および色点データ並びは、第3図上図の配列から
　　｜R1G2B3R4G5B6R7｜G1B2R3G4B5R6G7｜B1R2G3B4R5G6B7｜・・・に変わる。
　第１レンズ素に対応する色点組は、R1G2B3R4G5B6R7、
　第２レンズ素に対応する色点組は、G1B2R3G4B5R6G7、
　第３レンズ素に対応する色点組は、B1R2G3B4R5G6B7、に変わる。
　これにより、
　　第１〜３レンズの第１位置にある色点は、R1G1B1となり、これらは、第１の視点の属する画像の画素を構成している。
　　第１〜３レンズの第２位置にある色点は、G2B2R2となり、これらは、第２の視点の属する画像の画素を構成している。
　　第１〜３レンズの第３〜７位置にある色点についても同様、第３〜７，４の視点の属する画像の画素を構成することになる。
　すなわち、各視点に属する画素を構成する色点も、同じく、「１つの対角ｂとｒ、他方の対角２つのｇからなる水平２垂直２個の隣り合う４個の色画素」から「水平方向に隣り合う３個の色点からなるもの」に変わる。
　そして、各視点に属する画素を構成するのに要する「第１、第２の２つの光学レンズ」（引用発明）も、「第１、第２、第３の３つの光学レンズ」（本願発明）」となる。
　
　また、式：Ｎ＝ｎｃ＋１に、ｎ＝１、ｃ＝３を当てはめ、方向像数Ｎ＝４となる場合を想定すれば、本願発明の第1図実施例と同じ、色点並びとなる。　具体的に示せば、以下のようである。
　色点配列および色点データ並び：｜R1G2B3R4｜G1B2R3G4｜B1R2G3B4｜
　第１レンズに対応する色点組：R1G2B3R4　　
　第２レンズに対応する色点組：G1B2R3G4　　
　第３レンズに対応する色点組：B1R2G3B4　　
　当然ながらこの場合も、上記相違点１に係る本願発明の構成を充足している。
　
　（２）ｃを３に替えることは当業者想到容易である点
　前掲(K1.13)の「第３図において、方向像の数は５で、また色画素数ｎ＝２で、Ｎ＝５にした場合である。」によれば、引用発明は、刊行物１において、式：Ｎ＝ｎｃ±１｛(K1.12)｝における１つの場合として提示されるもので、色画素の水平方向繰り返し数ｃ＝２の色画素配列の表示装置を採用し、ｎ＝２，方向像の数Ｎ＝５とした場合のものである。
　刊行物１は、上記式でも、色画素の水平方向繰り返し数を一般化したパラメータｃとして記載しているほか、その〈特許請求の範囲〉(K1.1)や〈問題点を解決するための手段〉(K1.7)でも、一般化したものとして記載していることから、同繰り返し数は「２」という固定数値に限らないことを予定していると言うべきである。
　そして、上述したように、水平方向に隣り合う３個の色画素ＲＧＢからなる画素の周期的連続によって画像を表示するタイプの色画素配列は、通常のカラー画像表示器に用いる色画素配列のタイプとしてよく知られた典型的なものであることは当業者の技術常識｛（ｃ１-１）参照｝であるから、色画素の水平方向繰り返し数ｃ＝３は、２以外のｃの数として、当業者に普通に想定される数である。
　一般化したパラメータｃとしての上記記載に接した当業者は、何ら困難なくｃ＝３を試みると言うべきである。
　したがって、
色画素の水平方向繰り返し数
　
　（３）まとめ（相違点１）
　以上（１）（２）によれば、本願発明の上記相違点１に係る構成は、
　技術常識に照らし、
　引用発明が採用する、「色画素の水平方向繰り返し数ｃ」が２であって、画素が「水平方向に隣り合う
２個の
２行
　「色画素の水平方向繰り返し数ｃ」が３であって、画素が「水平方向に隣り合う
３個の
１行
　「隣り合う光学レンズ」を、「第１および第２光学レンズの２つ」から「第１、第２および第３光学レンズの３つ」とすることにより、当業者が容易になし得ることである。
　
 ［４.２］相違点２について
　
　（１）引用発明の色点データ並び（第３図上図に示される色点のデータの並び）は、色点データを並び替えて実現されていると普通に想定されるものである。　
　
　《理由》
　５つの方向像を提供する第３図上図に示される色点のデータの並び「ｂ１ｇ２ｂ３ｇ４ｂ５・・・」は、１〜５の各方向像を構成する画素の色点であって、１つの方向像（の画素）につき１つの色点だけが順に取り出されて並べられた並びであるが、この様な並びが、元々から画像発生源が有していた並びとは普通考えにくい。
　刊行物１の「立体映像は、対象を左右横方向に並べた多数のカメラで撮影した多方向の映像」(K1.3)なる記載、刊行物１の第１図記載の実施例｛(K1.9)｝において用いられる画像投写器１は、液晶表示器等を用いた５個の画像投写器１Ａ、１Ｂ、１Ｃ，１Ｄ、１Ｅを有し、これらは各別に画素並びを有する各別の方向像を発生するものであることからみて、
　引用発明の上記並びを構成する各色点データも、各方向像毎の画像発生源に由来すると想定するのが自然かつ普通である。方向像毎の画像は、それぞれが完結した色点データ並び（引用発明の上記色点データ並びとは異なる並び）を有しているといえ、したがって、引用発明は、上記並びを実現するために、色点データを「並べ替えて」いると容易に想定し得るものである。
　このことは、上記刊行物２の前掲(K2.1)〜(K2.3)及び第１〜３図｛特に、(K2.3)｝に、Ｎ台の撮像カメラからの画像に基づく、各別に画素並びを有するＮの方向像から、画素データを並べ替えて多方向画像を合成する手法が具体的に開示され公知となっていることからも首肯されるところである。
　
　また、引用発明の上記色点データの並びは、直接画像表示器３のレンチキュラー板７を装着した中央部分においてのみ、多方向映像の合成画像を表示するためになされる並びであり、第１図記載の実施例｛(K1.9)｝の表記で言えば、
　その中央部分（２Ａ）以外の左右部分（２Ｂ、２Ｃ）の色点並びは、例えば「ｂ１ｇ１ｂ１ｇ１ｂ１・・・」（２Ｂ部分）や「ｂ５ｇ５ｂ５ｇ５ｂ５」（２Ｃ部分）のように１つの方向像の色点データのみが並んでいる並びであって方向像発生源からの方向像を構成する色点データ並びそのものであり、したがって並び替える必要がなく、
　５つの方向像の合成画像である中央部分についてのみ、各方向像毎の色点データ並びを並び替えて上記引用発明の色点データ並びとすればよいことは自明であることからみても、
　引用発明の上記色点データ並びは、各方向像毎の色点データ並びを並び替えて実現したものと容易に想定し得るのである。
　
　（２）引用発明の
色画素の水平方向繰り返し数
　
　《理由》
　引用発明の
色画素の水平方向繰り返し数
　上記［４.１］の（１）で上述したように、例えば、
　｜R1G2B3R4｜G1B2R3G4｜B1R2G3B4｜であって、１つの方向像（の画素）につき１つの色点だけが順に取り出されて並べられた並びである点においては、引用発明の上記色点データ並びと同じである。
　したがって、引用発明の上記並びが、色点データを並び替えて実現されていると普通に想定されるのと同様、ｃを３としたものにおいても、その色点データを並び替えて実現するとすることに格別な困難性はない。
　
　（３）上記「並び替え」を、「Ｎ個の視点を有し、各視点に属する画像を含む自己立体画像を円柱状の光学レンズアレイと一体のビデオスクリーンに表示する装置」が行うようにすること、
　すなわち、上記「並び替える」機能手段を、「Ｎ個の視点を有し、・・・表示する装置」に含ませることは、
　これにより予想し得ない格別な作用効果を奏するともいえず、これを妨げる特段の事情も認められず、当業者が適宜容易になし得る設計的事項にすぎない。
  また、例えば、刊行物２では、特許請求の範囲第２項(K2.1)において、
　「Ｎ個の視点を有し、各視点に属する画像を含む自己立体画像を円柱状の光学レンズアレイと一体のビデオスクリーンに表示する装置」といい得る、「多眼式立体テレビジョン
受像装置
具える
　
　（４）まとめ（相違点２）
　以上（１）〜（３）によれば、引用発明の「色点のデータが
並べられている
　
［４.３］効果等 
　以上のように、相違点１に係る本願発明の構成も、相違点２に係る本願発明の構成もいずれも容易想到でない格別のこととはいえないし、これらの点を総合し各相違点の構成を共に採用することも、それにより、格別の作用をなすものでもなく、当業者が容易に想到し得ることである。
　本願発明の効果も、刊行物１および刊行物２、および技術常識・周知技術等からから予測することができる程度のものにすぎない。
　
［４.４］請求人の主張についての検討
　
　（ａ）請求人の主張
　請求人は、本願発明の進歩性を主張しており、その根拠とする要点は、以下（ａ１）〜（ａ６）の通りである。
　
　（ａ１）引用文献１には、スクリーンの色点配置が線順次配列のものと水平方向の色点の繰り返し数が２のものしか具体的な開示がされておらず、本願発明に係る３個の色点が水平方向に隣り合う色点配置のスクリーンは開示されていない。
  引用文献１が、水平方向の色点の繰り返し数ｃと視点の数Ｎとの関係式Ｎ＝ｎｃ±１においてｃを特定の数に限定していないとしても、単にこれだけのことから当業者が本願発明を容易に想到できるものではなく、従って、引用文献１の開示内容は、第３図に記載された構成に限定されると解すべきものであります。
   引用文献１は、広い視野角度の画像を実現する際に、「カラー画像による表示を行うにあたって、従来のような色画素配列では方向像の空間配列と重なり、映像解像度が必然的に低下する」(引用例１の第６５７頁右下段落第１０行〜第１２行の記載)ことを解決するために、色配列を線順次構造、即ち、色点の繰り返し数が１の構成や、繰り返し数２の構成(引用例１の第３図)が記載され、水平方向に隣り合う３個の色点よりも繰り返し数を小さくすることを意図したものと解されます。 引用文献１は、実施例にｃ＝３の場合を開示せず、ｃ＝２の場合だけを記載していることから考えても、色点の繰り返す数ｃを少なくすることを意図したものと解されるべきです。
　
　（ａ２）引用文献１のものでは、水平方向の色点の繰り返し数が２であるために、視点の数Ｎ＝２ｎ±１が奇数に限られ、本願発明のような視点の数Ｎが偶数、例えばＮ＝２、４の構成を実現することができない。
　本願発明において視点の数Ｎ＝２とすると、レンズのピッチは、色点のピッチの２倍の長さになります。これに対して、引用文献１の第３図の構成で最も少ない視点の数ＮはＮ＝３の場合であり、レンズピッチは色点のピッチの３倍の長さになります。レンズピッチを最小にすることを優先して考えた場合、本願発明は引用文献１の第３図の構成の最小レンズピッチに比べてさらに小さなレンズピッチを得ることができます。
　
 　（ａ３）さらに、異なる効果として、画素を構成する３つの色点を水平方向に並べる構成は自己立体鏡的でないビデオスクリーンで一般的に使用されており、本願発明によれば、これらのビデオスクリーンを用いた安価な装置を実現することが可能になります。
　
 　（ａ４）３個の色点が水平方向に隣り合う色点配置の構成では、色点信号の並べ替えは水平方向の１ラインの間で処理すればよく、色点信号の並べ替え処理回路が単純になり、安価に実現できるという利点があります。これに対して、たとえば、引用文献１の第３図に示された色点配置では、画素を構成するＲＧＢの各色点が２ラインに渡って配置されており、並べ替えを行うためには２ライン間にわたる複雑な色点信号の並べ替えを行う必要があります。
　
　（ａ５）引用文献１には、色点データの並べ替える処理について、当業者が実施可能な程度の具体的な方法は何ら開示されていません。これに対して、本願は図２、３およびそれらの図に係る明細書の記載において色点データを並べ替える具体的な実施例を開示している点で引用文献１と異なります。
　次に、本願発明と引用文献２とを比較しますと、メモリを用いてビデオ信号の並べ替えをおこなう点で両者は一致します。しかしながら、本願発明では、各画素を構成する色点信号の並べ替え処理を行うのに対して、引用文献２のものは、画素単位で並べ替え処理を行う点で両者は異なります。
　
　（ａ６）引用文献１のものでは、色画素配列の繰り返しと各レンズのピッチの関係についての記載はなく、むしろ、第３図には色画素配列の繰り返しと異なるピッチ（小さいピッチ）を有するレンズが記載されています。（意見書）
　
　（ｂ）検討
　
　（ｂ１）上記主張（ａ１）について
　この主張は、刊行物１の記載「従来のような色画素配列」(K1.11)が、ｃ＝３の場合である本願発明の「水平方向に隣り合う３個の色点からなる」色画素配列を意味すると解し、
　前掲(K1.11)の「従来のような色画素配列では方向像の空間配列と重なり、映像解像度が必然的に低下する。なお、条件によっては観察位置による色調変化も生じる。・・・」に続く「第３図は、同じ問題を解決するための第２の方法となる色画素配列例を示し・・・」(K1.12)なる文脈からみて、ｃ＝３の場合の上記配列で生じる映像解像度の低下を防止する方法として、第３図のものが記載されている以上、
　引用文献１は、ｃ＝２の場合だけを開示し、ｃ＝３の場合である本願発明の「水平方向に隣り合う３個の色点からなる」色画素配列を排除しているものであるとの主張と思われる。
　しかしながら、以下の理由で、上記請求人の主張は採用できない。
　
　(i)前掲(K1.11)に続く「第３図は、同じ問題を解決するための第２の方法となる色画素配列例を示し・・・」｛(K1.12)｝の記載により理解されるところは、映像解像度の低下を防ぐという１つの観点からすれば、ｃ＝３の水平方向に隣り合う３個の色点からなる色画素配列は不利であるため、ｃ＝２の第３図の色画素配列を採用するという技術的思想であり、
　同記載が、ｃ＝３の色画素配列は、カラー直接表示器による多方向像表示に使用することができないとか、そのほかの多数の欠点があってカラー直接表示器による多方向像表示一般に適さないこと等を示している訳でもない。
　刊行物１の作成者は、ｃ＝３の色画素配列がごく一般的な色画素配列であるが故、これをカラー直接表示器による多方向像表示に使用できるものとの認識の上、これを試みたが、解像度の観点からはより有利な、色点の繰り返す数ｃのより少ないｃ＝２の第３図の色画素配列の採用に至りこれを実施例として開示したと理解されるのである。
　であるからこそ、一般化するパラメータ「ｃ」を用いて色画素配列を表現したというべきであり、ｃ＝３の色画素配列を積極的に排除するものとはいえず、むしろ逆に、ｃ＝３の本願発明の色画素配列の示唆があるというべきである。
　
　(ii)仮に、上記文脈からみて、刊行物１の作成者にはｃ＝３の本願発明の色画素配列を除外する意図があったといえたしても、
　刊行物１は、あくまで色画素の水平方向繰り返し数を「２」という固定数値でなく一般化したパラメータｃとして積極的に明示しているほか、その〈特許請求の範囲〉(K1.1)や〈問題点を解決するための手段〉(K1.7)でも、一般化したものとして記載していることから、これに接した当業者は、そのような文脈に縛られることなく、ｃ＝３の場合である「水平方向に隣り合う３個の色点からなる」色画素配列を容易に試みようとするのである。
　
　（ｂ２）上記主張（ａ２）について
　この主張は、刊行物１のものは、視点の数Ｎ＝偶数に対応できないといううものである。
　しかしながら、本願発明は、Ｎが偶数であることを構成要件としておらず、上記主張は、本願発明の構成（請求項１記載の発明の構成）に基づかない主張である。
　また、ｃ＝３とする本願発明の構成に至ることが容易想到である以上、上記主張する効果が予測し得ない格別の効果とはいえない。
　したがって、上記請求人の主張は採用できない。
　
　（ｂ３）上記主張（ａ３）について
   この主張は、一般的に使用されている、「画素を構成する３つの色点を水平方向に並べる構成のもの」を使用できるという効果を主張するものであるが、
　そのような色画素構成のものがごく一般的であるからこそ、色画素の水平方向繰り返し数を「ｃ」と一般化している刊行物１に接した当業者がｃ＝３を容易に想定し得るのであり、ｃ＝３とする本願発明の構成に至ることが容易想到である以上、上記主張する効果が予測し得ない格別の効果とはいえない。
　したがって、上記請求人の主張は採用できない。
 
　（ｂ４）上記主張（ａ４）について
　この主張も、ｃ＝３とする本願発明の構成に至ることが容易想到である以上、上記主張する効果が予測し得ない格別の効果とはいえない。
　したがって、上記請求人の主張は採用できない。
　
　（ｂ５）上記主張（ａ５）について
　実施例の開示の有無に関する主張は、本願発明の構成（請求項１記載の発明の構成）に基づかない主張であって採用できない。
　本願発明は、「色点のデータを並べ替える」とのみ特定するだけで、並べ替える前の色点データの並びについても、並べ替えの具体についても何ら特定するものでもない。
　そして、単に「色点のデータを並べ替える」程度のことは、前記 ［４.２］で判断したように当業者が容易になし得ることであるから、この点に関する主張も採用できない。
　
　（ｂ６）上記主張（ａ６）について
　確かに、第３図下図では、各レンズ素の水平方向ピッチは、色画素「１」〜「５」のピッチ５つ分（色画素のピッチと方向像数５（視点数５））よりも若干短くは描かれてはいる。
　しかしながら、［２］（ｆ１）で前記したように、同図は模式図であることに加え、これらを等しく設定することが標準技術といえることから、刊行物１記載の技術思想たる発明としては、これらが等しいものを認定し得るのであるから、上記請求人の主張は採用できない。
　また、仮に、引用発明の各レンズのピッチと、各画素を構成する色点のピッチと視点の数Ｎとの積は等しいとはいえず、これらには
若干の相違
　［２］（ｆ１）で前記したように、これら（各レンズのピッチと、上記積）を等しくすることが周知の標準技術であると認められるのであるから、
　そのような追加の相違点に係る構成は格別のことではなく、上記
若干の相違
等しく
　したがって、上記
若干の相違
　
［５］まとめ（査定の検討）
　本願発明は、刊行物１に記載された発明および刊行物２に記載された発明並びに技術常識、周知技術に基づいて当業者が容易に発明をすることができたものである。 
 　 
【第５】むすび 
　以上、本願の請求項１に係る発明は、刊行物１に記載された発明および刊行物２に記載された発明および技術常識、周知技術に基づいて当業者が容易に発明をすることができたものであるから、特許法第２９条第２項の規定により特許を受けることができない。 
　したがって、残る請求項２ないし請求項８までに係る各発明について特に検討をするまでもなく、本願は拒絶されるべきものである
　
　よって、結論のとおり審決する。